【事件の表示】
　特願２００８−　２５４０３「トナーセット、現像剤セット、及び画像形成方法」拒絶査定不服審判事件〔平成２１年　８月２０日出願公開、特開２００９−１８６６７４〕について、次のとおり審決する。
【結　論】
　本件審判の請求は、成り立たない。
【理　由】
第１　手続の経緯　
　
　本願は、平成２０年　２月　５日の出願であって、平成２４年　８月　２日付けで拒絶理由が通知され、同年１０月　９日に意見書及び手続補正書が提出され、平成２５年　１月２９日付けで最後の拒絶の理由が通知され、同年　４月　５日に意見書が提出されたが、同年　７月３０日付けで拒絶査定され、これを不服として、同年１１月　６日に審判請求がされるとともに手続補正書が提出されたものである。
　
　
第２　平成２５年１１月　６日提出の手続補正書による手続補正（以下「本件補正」という。）についての補正の却下の決定
　
〔補正の却下の決定の結論〕
　本件補正を却下する。
　
〔理由〕
１　本件補正の内容
　本件補正は、平成２４年１０月　９日に提出された手続補正書によって補正された本件補正前（以下「本件補正前」という。）の特許請求の範囲及び明細書についてするものであって、そのうち特許請求の範囲の請求項１についての補正は、以下のとおり。（下線部は本件補正に関連する箇所である。）
　
　本件補正前の請求項１
「ポリエステル樹脂を含む結着樹脂と、離型剤と、Ｃ．Ｉ．ピグメントイエロー１８５と、を含み、
　前記ポリエステル樹脂は、アルコール成分としてビスフェノールＡエチレンオキサイド付加物を有
し、前
　Ｃ．Ｉ．ピグメントレッド２３８を含む電子写真用マゼンタトナーと、
を有するトナーセット。」
　
　本件補正後の請求項１
「ポリエステル樹脂を含む結着樹脂と、離型剤と、Ｃ．Ｉ．ピグメントイエロー１８５と、を含み、
　前記ポリエステル樹脂は、アルコール成分としてビスフェノールＡエチレンオキサイド付加物を有
し、カルボン酸成分として脂肪酸を有し、前
　Ｃ．Ｉ．ピグメントレッド２３８を含む電子写真用マゼンタトナーと、
を有するトナーセット。」
　
２　新規事項の有無及び補正の目的の適否
　請求項１に係る本件補正は、本願の願書に最初に添付された明細書（以下、願書に最初に添付された明細書を「当初明細書」といい、願書に最初に添付された明細書、特許請求の範囲及び図面をあわせて「当初明細書等」という。）の【０１７９】のポリエステル樹脂分散液（Ａ１）〜（Ａ７−４）の概要を示した表１におけるポリエステル樹脂組成において「脂肪酸」が記載されていること、【０１３７】〜【０１７２】のポリエステル樹脂分散液（Ａ１）〜（Ａ７−４）の調整原料における酸成分の一つとして「脂肪酸」が記載されていることを根拠に、「ポリエステル樹脂」が、「カルボン酸成分として脂肪酸を有し」ていることを限定したものであるから、特許法１７条の２第３項に規定する要件を満たしており、また、特許法１７条の２第５項２号に規定する要件を満たしている。
　
　そこで、本件補正後の請求項１に係る発明（以下「本願補正発明」という。）が、特許出願の際独立して特許を受けることができるものであるか（特許法１７条の２第６項において準用する同法１２６条７項の規定に適合するか）について以下検討する。
　
３　独立特許要件の検討
（１）本願補正発明
　本願補正発明は、上記１に記載された本件補正後の請求項１のとおりである。
　
（２）引用した刊行物とその記載事項
　ア　原査定の拒絶の理由に引用され、本願の出願前に頒布された刊行物である特開２００５−３００６０９号公報（以下「引用例１」という。）には、次の事項が記載されている。
　（ア）「【請求項１２】
　回転体と、該回転体と定着ニップ部を形成する対向部材と、前記回転体を前記定着ニップ部とは異なる部位でニップ部を形成し回転体表面を加熱する加熱部材とを具備し、前記定着ニップ部に未定着のトナー画像を担持させた被加熱材を挿通して挟持搬送させ前記回転体の熱により加熱して被加熱材にトナー画像を定着させる加熱加圧定着装置を少なくとも具備する
画像形成装置に用いるトナーであって、
　
結着樹脂、着色剤及びワックスを少なくとも有するトナー粒子と外添剤とを有
するトナー
　（イ）「【請求項１７】
　前記トナーは、フロー式粒子像分析装置により測定される
平均円形度が０．９４０〜１．０００を満たす
　（ウ）「【００３８】
  本発明の
トナーの結着樹脂として用いられるポリエステル樹脂
アルコールとカルボン酸
原料モノマーとした樹脂が使用できる
【００３９】
　ポリエステル樹脂及び／又はポリエステルユニット含有樹脂の原料モノマーとして、具体的には、以下の通りである。
【００４０】
　
アルコール成分としては、
下記一般式（１）で表されるビスフェノール誘導体等の２価アルコール成分が挙げられ
【００４１】【化１】　　
【００４２】
（
式中、Ｒはエチレン又はプロピレン基を表し、ｘ，ｙはそれぞれ１以上の整数であり、かつｘ＋ｙの平均値は２〜１０である。
・・（略）・・
【００４４】
　
酸成分としては
テレフタル酸等の芳香族ジカルボン酸類
フマル酸
等の不飽和ジカルボン酸類
が挙げられ
　（エ）「【０１０５】
  本発明に用いられる
着色剤は、一般に用いられる黒色着色剤、イエロー着色剤、マゼンタ着色剤、シアン着色剤が用いられ
  具体的には、黒色着色剤として、カーボンブラックのほかに以下に示すイエロー／マゼンタ／シアン着色剤を用い黒色に調色されたものが利用される。
【０１０６】
　
イエロー着色剤としては、縮合アゾ化合物、イソインドリノン化合物、アンスラキノン化合物、アゾ金属錯体、メチン化合物、アリルアミド化合物に代表される化合物等が用いられ
・・（略）・・
【０１０７】
　
マゼンタ着色剤としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物等が用いられる
　（オ）「【０１２５】
  図２は画像形成装置の一例の概略構成図であるが、本発明はこれに限定されない。本発明の
画像形成装置
【０１２６】
　１１は有機感光体でできた
電子写真感光体ドラム（以下、「感光ドラム」という）
【０１２７】
　感光ドラム１１は、・・（略）・・その帯電処理面に、・・（略）・・レーザ光１３ａによる、目的画像情報の走査露光処理を受ける。・・（略）・・この走査露光により感光ドラム１１面に走査露光した目的画像情報に対応した静電潜像が形成される。・・（略）・・
【０１２８】
　
フルカラー画像形成
フルカラー画像の第１の色分解成分画像、例えばイエロー成分画像についての走査露光・静電潜像形成がなされ、その静電潜像が４色の現像装置１４のうちイエロー現像装置１４Ｙの作動でイエロートナー画像として現像され
【０１２９】
　上記のような
帯電・走査露光・現像・一次転写・清掃のプロセスサイクルが、目的のフルカラー画像の、第２（例えばマゼンタ成分画像、マゼンタ現像装置１４Ｍが作動）、第３（例えばシアン成分画像、シアン現像装置１４Ｃが作動）、第４（例えば黒成分画像、黒現像装置１４ＢＫが作動）の各色分解成分画像について順次に実行され、中間転写ドラム１６面にイエロートナー画像、マゼンタトナー画像、シアントナー画像、黒トナー画像の４色のトナー画像が順次重ねて転写されて、目的のフルカラー画像に対応したカラー画像が合成形成され
【０１３０】
　・・（略）・・感光ドラム１１との電位差で感光ドラム１１側のトナー画像は中間転写ドラム１６面側に転写される。
　上記の中間転写ドラム１６面に合成されたカラートナー画像は、・・（略）・・二次転写部Ｔ２に搬送された記録材Ｐの面に転写され、記録材Ｐは未定着のトナー画像を担持した状態となる。転写ローラ１５は記録材Ｐの背面からトナーと逆極性の電荷を中間転写ドラム１６に供給することで、
中間転写ドラム１６面側から記録材Ｐ側へ合成カラートナー画像が順次に一括転写される。
　（カ）「【０１５０】
＜結着樹脂の合成＞
【０１５１】
＜ポリエステル樹脂の合成例（１）＞
　下記
原料を
・
下記一般式（１）であらわされるジオール成分
５５ｍｏｌ％
【０１５２】【化２】　
【０１５３】
（式中、
Ｒはエチレン又はプロピレン基
エチレン変性ジオールとプロピレン変性ジオールの比が２：１の混合ジオール
【０１５４】
・
フマル酸
２０ｍｏｌ％
・
テレフタル酸
２５ｍｏｌ％
　その後前駆ポリエステル樹脂（１）の１００質量部を四口フラスコに入れ温度１５０℃に加熱後に、
無水トリメリット酸１.５質量部
　（キ）「【０１６７】
＜トナーの製造＞
（トナーの製造例１）
・
ポリエステル樹脂（１）
・スチレンアクリル樹脂（１）                          ５質量部
・
パラフィンワックス
（ＤＳＣ吸熱ピーク：６９℃、Ｍｗ：７００、Ｍｎ：５００）
・荷電制御剤：芳香族オキシカルボン酸Ｚｎ化合物
（ボントロンＥ−８４：オリエント化学（株）製）        ４質量部
・顔料：
イエロー顔料
（
Ｃ．Ｉ．Ｐｉｇｍｅｎｔ．Ｙｅｌｌｏｗ    １８５
【０１６８】
　上記材料を混練し粉砕して粉砕物を得た。
　その後、粉砕物をローターが回転するタイプの機械にて表面処理を行い、分級してイエロー粒子（１）を得た。その後、イエロー粒子（１）１００質量部に対し、疎水化処理を行ったチタニア微粉末を１．０質量部、及び同じく疎水化処理を行ったシリカ微粉末を１．０質量部加え、三井鉱山（株）製ヘンシェルミキサーを用いて均一拡散し
イエロートナー（１）
【０１６９】
【表１】
【０１７０】
（イエロートナー（１）の
トナー平均円形度は、０．９６３
　（ク）「【０１８８】
（トナーの製造例２２〜２４）
　顔料を
Ｃ．Ｉ．ピグメントイエロー１８５
　（ケ）図２は画像形成装置の概略構成図であって、「感光ドラム１１の円周上に沿って、感光ドラム面を走査露光するレーザ光１３ａに続いて４色の現像装置１４Ｙ、１４Ｍ、１４Ｃ、１４ＢＫが配置され」ていることが看取できる。
　（コ）上記（オ）、（ケ）の記載を整理すれば、画像形成装置は、
　「電子写真感光体ドラム（以下、「感光ドラム」という）の円周上に沿って、感光ドラム面を走査露光するレーザ光１３ａに続いて４色の現像装置１４Ｙ、１４Ｍ、１４Ｃ、１４ＢＫが配置され、フルカラー画像の第１の色分解成分画像、例えばイエロー成分画像についての走査露光・静電潜像形成がなされ、その静電潜像が４色の現像装置１４のうちイエロー現像装置１４Ｙの作動でイエロートナー画像として現像され、帯電・走査露光・現像・一次転写・清掃のプロセスサイクルが、目的のフルカラー画像の、第２（例えばマゼンタ成分画像、マゼンタ現像装置１４Ｍが作動）、第３（例えばシアン成分画像、シアン現像装置１４Ｃが作動）、第４（例えば黒成分画像、黒現像装置１４ＢＫが作動）の各色分解成分画像について順次に実行され、中間転写ドラム面にイエロートナー画像、マゼンタトナー画像、シアントナー画像、黒トナー画像の４色のトナー画像が順次重ねて転写されて、目的のフルカラー画像に対応したカラー画像が合成形成され、中間転写ドラム１６面側から記録材Ｐ側へ合成されたカラートナー画像が順次に一括転写されることにより、フルカラー画像を形成する」ものである。
　したがって、静電潜像が形成された感光ドラム１１に対して４色の現像装置１４によってイエロートナー画像等４色のトナー画像が現像されるのであるから、画像形成装置の４色の現像装置１４それぞれに、４色のトナーそれぞれがセットされていることは明らかである。
　
　（サ）上記（ア）ないし（コ）から、引用例１には、以下の発明が記載されている。（以下、引用発明１という。）
　
「電子写真感光体ドラム（以下、「感光ドラム」という）の円周上に沿って、感光ドラム面を走査露光するレーザ光１３ａに続いて４色の現像装置１４Ｙ、１４Ｍ、１４Ｃ、１４ＢＫが配置され、フルカラー画像の第１の色分解成分画像、例えばイエロー成分画像についての走査露光・静電潜像形成がなされ、その静電潜像が４色の現像装置１４のうちイエロー現像装置１４Ｙの作動でイエロートナー画像として現像され、帯電・走査露光・現像・一次転写・清掃のプロセスサイクルが、目的のフルカラー画像の、第２（例えばマゼンタ成分画像、マゼンタ現像装置１４Ｍが作動）、第３（例えばシアン成分画像、シアン現像装置１４Ｃが作動）、第４（例えば黒成分画像、黒現像装置１４ＢＫが作動）の各色分解成分画像について順次に実行され、中間転写ドラム面にイエロートナー画像、マゼンタトナー画像、シアントナー画像、黒トナー画像の４色のトナー画像が順次重ねて転写されて、目的のフルカラー画像に対応したカラー画像が合成形成され、中間転写ドラム１６面側から記録材Ｐ側へ合成されたカラートナー画像が順次に一括転写されることにより、フルカラー画像を形成する画像形成装置にセットされた４色のトナーであって、
　前記トナーは、結着樹脂、着色剤及びワックスを少なくとも有するトナー粒子と外添剤とを有しており、
　前記トナーの平均円形度が０．９４０〜１．０００を満たしており、
　前記トナーに用いられる結着樹脂はポリエステル樹脂であって、アルコールとカルボン酸を原料モノマーとした樹脂を使用し、
　前記ポリエステル樹脂のアルコール成分としては、下記一般式（１）で表されるビスフェノール誘導体等の２価アルコール成分等が挙げられ、　
　（式中、Ｒはエチレン又はプロピレン基を表し、ｘ，ｙはそれぞれ１以上の整数であり、かつｘ＋ｙの平均値は２〜１０である。）
　酸成分としてはテレフタル酸等の芳香族ジカルボン酸類、フマル酸等の不飽和ジカルボン酸類等が挙げられ、
　前記着色剤は、一般に用いられる黒色着色剤、イエロー着色剤、マゼンタ着色剤、シアン着色剤が用いられ、
　前記イエロー着色剤としては、縮合アゾ化合物、イソインドリノン化合物、アンスラキノン化合物、アゾ金属錯体、メチン化合物、アリルアミド化合物に代表される化合物等が用いられ、
　前記マゼンタ着色剤としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物等が用いることができるものであって、
　具体的なイエロートナー（１）としては、上記一般式（１）であらわされるジオール成分であってエチレン変性ジオールとプロピレン変性ジオールの比が２：１の混合ジオール５５ｍｏｌ％、フマル酸２０ｍｏｌ％、テレフタル酸２５ｍｏｌ％及び無水トリメリット酸１．５質量部を原料として合成されたポリエステル樹脂と、パラフィンワックスと、イエロー顔料としてのＣ．Ｉ．Ｐｉｇｍｅｎｔ．Ｙｅｌｌｏｗ（Ｃ．Ｉ．ピグメントイエロー）１８５を含み、平均円形度は、０．９６３であるイエロートナーがセットされた、
　フルカラー画像が形成される画像形成装置にセットされた４色のトナー。」
　
　イ　周知技術
　（ア）原査定の拒絶の理由に引用され、本願の出願前に頒布された刊行物である特開２００６−２２７４３１号公報（以下「引用例２」という。」には、次の事項が記載されている。
　　ａ　「【請求項１】
　
結着樹脂及び顔料を含有する静電荷像現像用トナー
　　ｂ　「【０００９】
　
本発明のトナーにより、高い発色性と二次色において特に十分な色再現性が得られる
　　ｃ　「【００１３】
　本発明に係る
結着樹脂としては、
ポリエステルを主成分とすることが好ましい。
　　ｄ　「【００２０】
　本発明に係る顔料としては、イエロー系顔料、マゼンタ系顔料、シアン系顔料等が挙げられ、これらの顔料は単独で用いても２種以上混合して用いても良い。具体的には、
イエロー系顔料として
ピグメントイエロー１８５
マゼンタ系顔料として、カーミン６Ｂ、キナクリドン、ピグメントレッド１４６、ピグメントレッド２３８等が挙げられる。
　　ｅ　したがって、引用例２には、以下の技術事項が記載されている。
　「高い発色性と、二次色において十分な色再現性が得られるトナー及び該トナーを用いた画像形成方法であり、トナーは結着樹脂と顔料を含有し、結着樹脂はポリエステルを主成分としており、イエロー系顔料としてピグメントイエロー１８５、マゼンタ顔料として、カーミン６Ｂ、キナクリドン、ピグメントレッド１４６、または、ピグメントレッド２３８を用いることができる。」
　
　（イ）原査定の拒絶の理由に引用され、本願の出願前に頒布された刊行物である特開２００２−９１０７５号公報（以下「引用例３」という。」には、次の事項が記載されている。
　　ａ　「【請求項１】  磁場発生手段と、電磁誘導により発熱する発熱層と離型層とを少なくとも有する回転加熱部材と、該回転加熱部材とニップを形成している回転加圧部材を少なくとも有する加熱加圧手段を使用し、該回転加熱部材を記録材を介して該回転加圧部材を押圧しながら、該記録材上の非磁性のカラートナーによって形成されたカラートナー画像を加熱加圧定着して記録材に定着画像を形成する画像形成方法において、
該
トナーは、結着樹脂とカラー着色剤を少なくとも有するカラートナーであり
結着樹脂が
ポリエステル樹脂である
　　ｂ　「【００４６】本発明において、フルカラートナーにおける着色剤として有機顔料を使用する場合、結着樹脂中に有機顔料粒子を微細な粒子として均一に分散させる必要がある。
本発明において使用される有機顔料は、Ｃ．Ｉ．ピグメントレッド４８：１、Ｃ．Ｉ．ピグメントレッド１２２、Ｃ．Ｉ．ピグメントレッド５７：１、Ｃ．Ｉ．ピグメントレッド２３８、
Ｃ．Ｉ．ピグメントイエロー１８５
　　ｃ　「【０２１０】
（二次色再現性）
レッド：マゼンタトナーとイエロートナー
　　ｄ　「【０２３０】さらに多色トナーが十分混合して
色再現性がよく
　　ｅ　したがって、引用例３には、以下の技術事項が記載されている。
「二次色再現性がよい画像形成方法であり、カラートナー画像を加熱加圧定着して記録材に定着画像を形成する画像形成方法であって、
該トナーは、ポリエステル樹脂である結着剤とカラー着色剤を少なくとも有するカラートナーであり、
着色剤として、Ｃ．Ｉ．ピグメントレッド４８：１、Ｃ．Ｉ．ピグメントレッド１２２、Ｃ．Ｉ．ピグメントレッド５７：１、または、Ｃ．Ｉ．ピグメントレッド２３８、Ｃ．Ｉ．ピグメントイエロー１８５が代表的なものである。」
　
　（ウ）原査定の拒絶の理由に引用され、本願の出願前に頒布された刊行物である特開平８−３０５０８３号公報（以下「引用例４」という。」には、次の事項が記載されている。
　　ａ　「【請求項１】  
結着樹脂と、カラー着色剤を含有してなる静電荷像現像用カラートナーにおいて、結着樹脂が
ポリエステル樹脂を含有し、
・・（略）・・
【請求項１１】  
カラートナーを用いて静電荷像を現像して、少なくともシアンカラートナー像、マゼンタカラートナー像およびイエローカラートナー像を重ねて形成するフルカラー画像形成方法
　　ｂ　「【００４５】本発明において、
フルカラートナーにおける着色剤として有機顔料を使用する場合
本発明において使用される有機顔料は、Ｃ．Ｉ．ピグメントレッド４８：１、Ｃ．Ｉ．ピグメントレッド１２２、Ｃ．Ｉ．ピグメントレッド５７：１、Ｃ．Ｉ．ピグメントレッド２３８、
Ｃ．Ｉ．ピグメントイエロー１８５
　　ｃ　「【０１２２】
【発明の効果】本発明の静電荷像現像用カラートナーおよび黒トナーは、上記の構成を採用することにより、透明性、
色再現性
フルカラーコピー画像を作成することができる。
　　ｄ　したがって、引用例４には、以下の技術事項が記載されている。
　「カラートナーを用いて静電荷像を現像して、少なくともシアンカラートナー像、マゼンタカラートナー像およびイエローカラートナー像を重ねて形成するフルカラー画像形成方法において、色再現性のよいフルカラーコピー画像を作成することができるカラートナーであり、該トナーは、ポリエステル樹脂を含有する結着樹脂と、カラー着色剤を含有し、着色剤として、Ｃ．Ｉ．ピグメントレッド４８：１、Ｃ．Ｉ．ピグメントレッド１２２、Ｃ．Ｉ．ピグメントレッド５７：１、または、Ｃ．Ｉ．ピグメントレッド２３８、Ｃ．Ｉ．ピグメントイエロー１８５を使用することができる。」
  
　（エ）上記（ア）〜（ウ）の各技術事項から、以下の事項が周知であると認められる。（以下「周知技術」という。）
　「少なくともマゼンタカラートナー像およびイエローカラートナー像を重ねて形成するフルカラー画像形成方法において、ポリエステル樹脂である結着剤とカラー着色剤を含むトナーのカラー着色剤の一例として、イエロートナーにＣ．Ｉ．ピグメントイエロー１８５を用い、マゼンタトナーにＣ．Ｉ．ピグメントレッド２３８を用いること。」
　
（３）対比
　ア　引用発明１の「ポリエステル樹脂」、「結着樹脂」、「ワックス」、「『イエロー着色剤』、『Ｃ．Ｉ．Ｐｉｇｍｅｎｔ．Ｙｅｌｌｏｗ』及び『Ｃ．Ｉ．ピグメントイエロー１８５』」、「『アルコール』、『アルコール成分』、『２価アルコール成分』及び『ジオール成分』」、「『カルボン酸』及び『酸成分』」、「平均円形度」、「イエロートナー（１）」、及び、「マゼンタトナー」は、それぞれ本願補正発明の「ポリエステル樹脂」、「結着剤」、「離型剤」、「Ｃ．Ｉ．ピグメントイエロー１８５」、「アルコール成分」、「カルボン酸成分」、「円形度」、「電子写真用イエロートナー」、及び、「電子写真用マゼンタトナー」に対応する。
　
　イ　引用発明１の「ワックス」が離型剤としての機能を有していることは電子写真用トナーの技術分野における技術常識から明らか（例えば、引用例２の【００４３】）であるから、本願補正発明の「離型剤」に相当する。
　
　ウ　引用発明１の「フルカラー画像が形成される画像形成装置にセットされた４色のトナー」は、本願補正発明の「トナーセット」に相当する。
　
　エ　引用発明１の「トナーに用いられる結着樹脂はポリエステル樹脂であって、アルコールとカルボン酸を原料モノマーとした樹脂を使用し」、「酸成分としてはテレフタル酸等の芳香族ジカルボン酸類、フマル酸等の不飽和ジカルボン酸類等が挙げられ」るのであるから、「上記一般式（１）であらわされるジオール成分であって、エチレン変性ジオールとプロピレン変性ジオールの比が２：１の混合ジオール５５ｍｏｌ％、フマル酸２０ｍｏｌ％ 、テレフタル酸２５ｍｏｌ％及び無水トリメリット酸１．５質量部を原料として合成されたポリエステル樹脂」における「フマル酸」、「テレフタル酸」及び「無水トリメリット酸」は、いずれも「ポリエステル樹脂」の「カルボン酸成分」である。
　一方、本願補正発明における「脂肪酸」は、実施例も含めてその具体的な物質が特定されておらず、当初明細書の【００３５】には、「ポリエステル樹脂を合成するために用いられるカルボン酸成分としては、特に限定されず既知の」「多価カルボン酸が使用される。」と説明され、【００３６】には、具体例として「多価カルボン酸の例としては、テレフタル酸」、「無水トリメリット酸」「などの芳香族カルボン酸類」、「フマル酸」「などの脂肪族カルボン酸類」「が挙げられ」「これらの多価カルボン酸が１種又は２種以上用いられる。」と説明されている。
　したがって、引用発明１の「ポリエステル樹脂」を合成するための「フマル酸」は、本願補正発明の「カルボン酸成分として脂肪酸」に相当する。
　
　オ　引用発明１の「前記ポリエステル樹脂のアルコール成分としては、下記一般式（１）で表されるビスフェノール誘導体等の２価アルコール成分等が挙げられ、　
　（式中、Ｒはエチレン又はプロピレン基を表し、ｘ，ｙはそれぞれ１以上の整数であり、かつｘ＋ｙの平均値は２〜１０である。」及び「上記一般式（１）であらわされるジオール成分であって、エチレン変性ジオールとプロピレン変性ジオールの比が２：１の混合ジオール」は、「ビスフェノールＡエチレンオキサイド付加物」を含むことは明らかであり、イエロートナーにおける５５ｍｏｌ％の組成比を有しているから、引用発明１の「前記ポリエステル樹脂のアルコール成分として」「上記一般式（１）であらわされるジオール成分であって、エチレン変性ジオールとプロピレン変性ジオールの比が２：１の混合ジオール５５ｍｏｌ％」を含むことは、本願補正発明の「ポリエステル樹脂における前記ビスフェノールＡエチレンオキサイド付加物の組成比率が２０モル％以上であ」ることに相当する。
　
　カ　引用発明１の「トナーの平均円形度が０．９４０〜１．０００を満たしており」、具体的なイエロートナー（１）の「平均円形度は、０．９６３である」ことは、本願補正発明の「トナーの円形度が０．９０以上０．９８以下」であることに相当する。
　
　キ　引用発明１のトナーは、「電子写真感光体ドラム」を用いて「電子写真」を形成するために用いられるものであるから、引用発明１の「イエロートナー」及び「マゼンタトナー」は、それぞれ本願補正発明の「電子写真用イエロートナー」及び「電子写真用マゼンタトナー」に相当する。
　
　上記ア〜キの点から、本願補正発明と引用発明１とは、
「ポリエステル樹脂を含む結着樹脂と、離型剤と、Ｃ．Ｉ．ピグメントイエロー１８５と、を含み、
　前記ポリエステル樹脂は、アルコール成分としてビスフェノールＡエチレンオキサイド付加物を有し、カルボン酸成分として脂肪酸を有し、前記ポリエステル樹脂における前記ビスフェノールＡエチレンオキサイド付加物の組成比率が２０モル％以上であり、トナーの円形度が０．９０以上０．９８以下である電子写真用イエロートナーと、
　電子写真用マゼンタトナーと、
を有するトナーセット。」
　である点で一致し、下記の点で相違している。
　
　相違点：
　電子写真用マゼンタトナーが、本願補正発明では「Ｃ．Ｉ．ピグメントレッド２３８を含む電子写真用マゼンタトナー」であるのに対して、引用発明１では、その様な特定がなされていない点。
 　
（４）判断
　ア　上記相違点について
　（ア）引用発明１は、フルカラー画像を形成するために複数の色のトナー画像を順次重ねて転写する技術分野に属するものであり、「マゼンタ着色剤として」「縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物等が用いることができるもので」ある。そして、引用例１の【０１０６】には、マゼンタ着色剤の具体例として、「Ｃ．Ｉ．Ｐｉｇｍｅｎｔ  Ｒｅｄ２、３、５、６、７、２３、４８：２、４８：３、４８：４、５７：１、８１：１、１２２、１４６、１６６、１６９、１７７、１８４、１８５、２０２、２０６、２２０、２２１、２５４やＣ．Ｉ．Ｐｉｇｍｅｎｔ  Ｖｉｏｌｅｔ１９等が特に好ましい。」と記載しているものの、具体例として例示された物質のみに限定される旨の記載は認められない。
　（イ）また、引用発明１と同一技術分野に相当する、少なくともマゼンタカラートナー像およびイエローカラートナー像を重ねて形成するフルカラー画像形成の技術分野において、上記（２）イ（エ）に摘記した周知技術にあるように、マゼンタ着色剤の一つとして、Ｃ．Ｉ．ピグメントレッド２３８は、よく知られたものであり、また、Ｃ．Ｉ．ピグメントレッド２３８は、ナフトール化合物である。
　（ウ）してみると、引用発明と同一技術分野の引用例２〜４に記載された周知技術から、引用発明１のマゼンタ着色剤として例示されているナフトール化合物として、Ｃ．Ｉ．ピグメントレッド２３８を採用することは当業者ならば容易に想到し得た事項である。
  
　イ　本願補正発明の効果について。
　（ア）当初明細書には、電子写真用マゼンタトナーに用いる着色剤として、下記（エ）ａの記載のように例示されているが、ピグメントレッド２３８自体の優位性については何ら説明されておらず、下記（エ）ｂの記載のように実施例において、ピグメントレッド２３８のみが用いられており、電子写真用マゼンタトナーに用いる他の着色剤との比較はなされていない。
　（イ）また、当初明細書には、下記（エ）ｃの記載のように、「
酸性モノマー共存下、または縮重合工程を経て得られるトナー作成工程では
Ｃ．Ｉ．ピグメントイエロー１８５だけで凝集しやすく、トナー中で充分な分散状態を得られない
耐光性には優れるが
透明性や彩度に劣るために二次色などの表現性に課題が発生しやすい
　（ウ）したがって、当初明細書において、マゼンタ着色剤として「Ｃ．Ｉ．ピグメントレッド２３８」を用いることにより、他のマゼンタ着色剤を用いることに比べ格別な効果を有していることが開示されていたとはいえない。
　（エ）当初明細書の記載
　　ａ　マゼンタトナーの着色剤の例示
「【００５２】
　また、フルカラー画像形成時にイエロートナーと共に用いられるマゼンタトナーに関しては、その着色剤として、例えば、
アントラキノン、キナクリドン、ビスアゾ系染料、モノアゾ系染料、などが挙げられる
　　ｂ　実施例に用いるマゼンタトナーの説明
「【０１８３】
（マゼンタ着色剤分散液Ｍ１の調整）
  
マゼンタ顔料（山陽色素社製、ＰＲ２３８（ナフトール））
　　ｃ　発明が解決しようとする背景技術と課題
「【０００６】
　着色剤としてＣ．Ｉ．ピグメントイエロー１８５を用い、且つ湿式製法によりトナーを調整する技術としては、例えば、特許文献２が挙げられる。特許文献２によれば、ポリエステル樹脂を重合するための原料と着色剤とを混合あるいは溶解させて、特定の酸性基を有する界面活性剤の含有させた水系媒体中に分散させて油滴を形成させ、次いで、ポリエステル樹脂粒子の原料である２価以上のカルボン酸及び２価以上のアルコールを、着色剤の存在下で重縮合させることで、着色剤含有ポリエステル樹脂を調整し、さらにこのポリエステル樹脂を凝集することによってトナー粒子を調整している。しかしながら、本手法のような
酸性モノマー共存下、または縮重合工程を経て得られるトナー作成工程では先述のような系の粘度低下、及びＣ．Ｉ．ピグメントイエロー１８５の酸性条件での安定性の欠如のためにＣ．Ｉ．ピグメントイエロー１８５だけで凝集しやすく、トナー中で充分な分散状態を得られない。そのため、粗大化した凝集体の顔料として耐光性には優れるが、透明性や彩度に劣るために二次色などの表現性に課題が発生しやすい。
【０００７】
　混練粉砕法により製造されたトナーは、乳化重合凝集法等の湿式製法で製造されたトナーに比べて
粒径が不均一であるため転写効率に劣り、鮮明且つ彩度に優れた赤色画像の実現は困難
彩度の向上や耐光性が要求される
。
【０００８】
　本発明は、
転写性及び耐光性に優れると共に、彩度に優れた赤色画像が実現される
　
（５）まとめ
　したがって、本願補正発明は、当業者が引用発明１及び引用例２〜４に記載された周知技術に基づいて容易に発明をすることができたものであるから、特許法２９条２項の規定により、特許出願の際独立して特許を受けることができないものである。
　
４　本件補正の適否についてのむすび
　よって、本件補正は、特許法１７条の２第６項において準用する同法１２６条７項の規定に違反するので、同法１５９条１項において読み替えて準用する同法５３条１項の規定により却下すべきものである。
　
　
第３　本願発明について
１　本願発明
　本件補正は、上記「第２」のとおり却下されたので、本願の請求項１〜５に係る発明は、本件補正前の請求項１〜５の記載によって特定されるものであるところ、そのうち、請求項１に係る発明（以下「本願発明」という。）は、上記第２〔理由〕１に記載された本件補正前の請求項１のとおりである。
　
２　引用例
　引用例１ないし４及びその記載事項は、上記「第２〔理由〕３（２）」に記載したとおりである。
　
３　対比・判断
　本願補正発明は、上記「第２〔理由〕１」のとおり、本願発明の発明特定事項である、ポリエステル樹脂を限定したものである。
　そうすると、本願発明の構成要件をすべて含み、さらに限定を付加したものに相当する本願補正発明が、上記「第２〔理由〕３」に記載したとおり、当業者が引用発明１及び引用例２〜４に記載された周知技術に基づいて容易に発明をすることができたものであるから、本願発明も同様の理由により、当業者が引用発明１及び引用例２〜４に記載された周知技術に基づいて容易に発明をすることができたものである。
　
第４ 結語
　以上のとおり、本願発明は、引用発明１及び引用例２〜４に記載された周知技術に基づいて当業者が容易に発明をすることができたものであるから、特許法２９条２項の規定により特許を受けることができない。
　したがって、他の請求項について検討するまでもなく、本願は拒絶されるべきものである。
　
　よって、結論のとおり審決する。